(57)【要約】  【課題】  予め登録されたジョブメモリを有効に利用し、パラメータの設定を柔軟、かつ、容易に行うことのできる画像処理装置およびそのパラメータ設定方法を提供する。  【解決手段】  設定したパラメータのうち、指定された任意のパラメータをロックモード設定・解除部１１０がロックモードに設定する。また、ロック入力モード設定・解除部１１１がロック入力モードを設定している状態で入力されたパラメータをロックモードに設定する。そして、ジョブメモリ取得部１０３が指定されたジョブメモリを呼び出した際に、パラメータ設定部１００は、ロックモードに設定されているパラメータ以外のパラメータを呼び出されたジョブメモリの値に設定する。【選択図】        図２
2006067210.tif 000002
【特許請求の範囲】
【請求項１】
ジョブの実行に要するパラメータをジョブメモリとして記憶し、該記憶したジョブメモリの呼び出しにより設定されたパラメータ若しくは新たに設定されたパラメータに基づいてジョブを実行する画像処理装置において、
パラメータの値を設定するパラメータ設定手段と、
前記パラメータ設定手段が値を設定したパラメータの任意のパラメータを固定設定とする固定設定手段と、
ジョブメモリを呼び出すジョブメモリ呼出手段と、
前記固定設定手段が固定設定としたパラメータ以外のパラメータを、前記ジョブメモリ呼出手段が呼び出したジョブメモリの値に設定するジョブメモリ設定手段と
を具備することを特徴とする画像処理装置。
【請求項２】
前記固定設定手段によって固定設定されたパラメータを報知する固定設定報知手段をさらに具備することを特徴とする請求項１記載の画像処理装置。
【請求項３】
前記パラメータ設定手段が設定したパラメータを前記固定設定とする入力固定手段をさらに具備することを特徴とする請求項１記載の画像処理装置。
【請求項４】
前記固定設定とされたパラメータと関連するパラメータを、該固定設定とされたパラメータと対立しない値に固定する固定関連設定手段をさらに具備することを特徴とする請求項１記載の画像処理装置。
【請求項５】
前記固定関連設定手段が値を設定したパラメータを報知する関連設定報知手段をさらに具備することを特徴とする請求項４記載の画像処理装置。
【請求項６】
ジョブの実行に要するパラメータをジョブメモリとして記憶し、該記憶したジョブメモリの呼び出しにより設定されたパラメータ若しくは新たに設定されたパラメータに基づいてジョブを実行する画像処理装置のパラメータ設定方法であって、
前記画像処理装置に設定されたパラメータの任意のパラメータの値を固定設定とし、前記ジョブメモリが呼び出された際に、前記固定設定としたパラメータ以外のパラメータを、前記ジョブメモリの値に設定することを特徴とする画像処理装置のパラメータ設定方法。
【請求項７】
前記固定設定とされたパラメータを、報知することを特徴とする請求項６記載の画像処理装置のパラメータ設定方法。
【請求項８】
新たに入力されたパラメータの値を、前記固定設定とすることを特徴とする請求項６記載の画像処理装置のパラメータ設定方法。
【請求項９】
前記固定設定とされたパラメータと関連するパラメータを、該固定設定とされたパラメータと対立しない値に固定することを特徴とする請求項６記載の画像処理装置のパラメータ設定方法。
【請求項１０】
前記固定設定とされたパラメータと関連するパラメータを固定したことを、報知することを特徴とする請求項９記載の画像処理装置のパラメータ設定方法。
【発明の詳細な説明】
【技術分野】
【０００１】
本発明は、画像処理装置およびそのパラメータ設定方法に関し、特に、予めパラメータを登録したジョブメモリを利用して、パラメータの設定を行う画像処理装置およびそのパラメータ設定方法に関する。
【背景技術】
【０００２】
複写機やプリンタ、スキャナ、ファクシミリ、複合機等の画像処理装置においては、ジョブを実行する際に、その動作条件等をパラメータとして設定する必要がある。また、最近は、画像処理装置が多機能化する傾向にあり、これにより、パラメータの設定に要する操作が繁雑となっている。
【０００３】
このため、様々な嗜好や用途に応じたパラメータをジョブメモリとして登録し、必要に応じて登録したジョブメモリを呼び出すことで、ユーザが所望のパラメータを容易に設定することができるようにした画像処理装置がある。
【０００４】
しかしながら、ジョブメモリは、通常、各種パラメータのセットが登録されているもので、呼び出しによりパラメータの全てが登録された設定に変更されるものである。したがって、その大部分の設定がユーザ所望のものであって、その一部がユーザ所望のものでなければ、ユーザは、パラメータの一部を変更する必要があった。特に、変更したいパラメータが予め決まっている場合、例えば、スキャンした画像データの保存先を特定の場所に決めつつ、他のパラメータについては、それぞれジョブメモリに設定されているパラメータを利用したい場合では、スキャンの都度、ジョブメモリを呼び出し、画像データの保存先を変更する必要があった。
【０００５】
このため、ジョブメモリを登録する際に、パラメータの値として「任意」を設定しておくことで、ジョブメモリを呼び出した際に「任意」が設定されているパラメータは、ジョブメモリを呼び出した時点で画像処理装置に設定されていた値を利用することができるようにした技術や（例えば、特許文献１参照）、ジョブメモリを２つ呼び出した際に、最初に呼び出したジョブメモリで設定がなされているパラメータについてはその値を利用し、２つ目に呼び出したジョブメモリからは、最初に呼び出したジョブメモリで設定がなされていないパラメータの値のみを利用して設定を行う技術（例えば、特許文献２参照）等が提案されている。
【特許文献１】特開平７−１３４５１７号公報
【特許文献２】特開平１１−３３１４４６号公報
【発明の開示】
【発明が解決しようとする課題】
【０００６】
しかしながら、特許文献１に記載の技術は、パラメータに「任意」の値を設定するのは、ジョブメモリを登録する時点であるため、実際にジョブメモリを呼び出す際に、柔軟に変更できるものではない。また、ユーザは、どのパラメータの値が「任意」になっているかを覚えていなければ、ジョブパラメータを利用する毎に、そのパラメータを確認しなければならず、パラメータの設定操作の繁雑さを解消できるものではない。
【０００７】
また、特許文献２に記載の技術は、パラメータの設定操作の繁雑さをある程度解消できるものの、任意に設定したいパラメータの値を設定したジョブメモリを事前に用意する必要があり、任意に設定したい値やパラメータがその時々によって変わる場合には、値やパラメータを変えたジョブメモリをその都度登録する必要がある。
【０００８】
そこで、本発明は、予め登録されたジョブメモリを有効に利用し、パラメータの設定を柔軟、かつ、容易に行うことのできる画像処理装置およびそのパラメータ設定方法を提供することを目的とする。
【課題を解決するための手段】
【０００９】
前述した目的を達成するため、請求項１の発明は、ジョブの実行に要するパラメータをジョブメモリとして記憶し、該記憶したジョブメモリの呼び出しにより設定されたパラメータ若しくは新たに設定されたパラメータに基づいてジョブを実行する画像処理装置において、パラメータの値を設定するパラメータ設定手段と、前記パラメータ設定手段が値を設定したパラメータの任意のパラメータを固定設定とする固定設定手段と、ジョブメモリを呼び出すジョブメモリ呼出手段と、前記固定設定手段が固定設定としたパラメータ以外のパラメータを、前記ジョブメモリ呼出手段が呼び出したジョブメモリの値に設定するジョブメモリ設定手段とを具備することを特徴とする。
【００１０】
また、請求項２の発明は、請求項１の発明において、前記固定設定手段によって固定設定されたパラメータを報知する固定設定報知手段をさらに具備することを特徴とする。
【００１１】
また、請求項３の発明は、請求項１の発明において、前記パラメータ設定手段が設定したパラメータを前記固定設定とする入力固定手段をさらに具備することを特徴とする。
【００１２】
また、請求項４の発明は、請求項１の発明において、前記固定設定とされたパラメータと関連するパラメータを、該固定設定とされたパラメータと対立しない値に固定する固定関連設定手段をさらに具備することを特徴とする。
【００１３】
また、請求項５の発明は、請求項４の発明において、前記固定関連設定手段が値を設定したパラメータを報知する関連設定報知手段をさらに具備することを特徴とする。
【００１４】
また、請求項６の発明は、ジョブの実行に要するパラメータをジョブメモリとして記憶し、該記憶したジョブメモリの呼び出しにより設定されたパラメータ若しくは新たに設定されたパラメータに基づいてジョブを実行する画像処理装置のパラメータ設定方法であって、前記画像処理装置に設定されたパラメータの任意のパラメータの値を固定設定とし、前記ジョブメモリが呼び出された際に、前記固定設定としたパラメータ以外のパラメータを、前記ジョブメモリの値に設定することを特徴とする。
【００１５】
また、請求項７の発明は、請求項６の発明において、前記固定設定とされたパラメータを、報知することを特徴とする。
【００１６】
また、請求項８の発明は、請求項６の発明において、新たに入力されたパラメータの値を、前記固定設定とすることを特徴とする。
【００１７】
また、請求項９の発明は、請求項６の発明において、前記固定設定とされたパラメータと関連するパラメータを、該固定設定とされたパラメータと対立しない値に固定することを特徴とする。
【００１８】
また、請求項１０の発明は、請求項９の発明において、前記固定設定とされたパラメータと関連するパラメータを固定したことを、報知することを特徴とする。
【発明の効果】
【００１９】
本発明によれば、設定したパラメータの任意のパラメータを固定設定とし、ジョブメモリを呼び出した際に、固定設定としたパラメータ以外のパラメータを呼び出したジョブメモリの値に設定するように構成したので、ジョブメモリを有効に利用するとともに、パラメータの設定を柔軟、かつ、容易に行うことが可能となる。
【発明を実施するための最良の形態】
【００２０】
以下、本発明に係る画像処理装置およびそのパラメータ設定方法の一実施の形態について、添付図面を参照して詳細に説明する。
【実施例】
【００２１】
図１は、本発明を適用した画像処理装置の構成の概略を示すブロック図である。同図に示すように、画像処理装置１は、制御部１０と、設定記憶部１１、ジョブメモリ記憶部１２、画像入力部１３、画像出力部１４、ファイル記憶部１５、表示制御部１６、入力受付部１７、ネットワーク接続制御部１８、通信制御部１９を具備して構成される。
【００２２】
制御部１０は、他の各部を制御し、画像処理装置１に各種のジョブを実行させる。設定記憶部１１は、画像処理装置１がジョブを実行する際の各パラメータの値を一時的に記憶する。ジョブメモリ記憶部１２は、画像処理装置１がジョブを実行する際のパラメータの値のセットをジョブメモリとして１以上記憶する。
【００２３】
画像入力部１３は、図示しない原稿台若しくはドキュメントフィーダに載置された原稿を読み取って画像データを生成する。画像出力部１４は、画像データに基づいて用紙上に画像を形成する印刷出力を行う。ファイル記憶部１５は、画像入力部１３が生成した画像データや、ネットワークを介して入力された画像データ等の各種ファイルを記憶する。
【００２４】
表示制御部１６は、図示しないタッチパネル等の表示装置に対して、各種の情報を表示させる。入力受付部１７は、図示しないタッチパネル等の入力装置から入力される指示や情報を受け付ける。ネットワーク接続制御部１８は、ネットワークとの接続を制御し、各種ファイル等の授受を行う。通信制御部１９は、電話回線と接続され、ファックスの送受信等を行う。
【００２５】
なお、図１に示した画像処理装置１は、プリント、スキャン、コピー、ファックス送受信等の複数種のジョブを実行する複合機であるが、本発明を適用する画像処理装置は、スキャナや複写機等の単機能の装置であっても良い。
【００２６】
次に、画像処理装置１におけるパラメータの設定処理について説明する。画像処理装置１では、制御部１０が、入力受付部１７が受け付けたユーザからの指示やジョブメモリ記憶部１２から呼び出したジョブメモリの内容に従って、設定記憶部１１に記憶されているパラメータの値を更新する。
【００２７】
図２は、パラメータの設定を行う際の制御部１０の機能的な構成を示すブロック図である。同図に示すように、制御部１０は、パラメータ設定部１００と、指示入力取得部１０１、表示画面更新部１０２、ジョブメモリ取得部１０３の各機能部により、パラメータの設定を実行する。
【００２８】
パラメータ設定部１００は、ユーザの指示やジョブメモリの内容に従って、設定記憶部１１に記憶されているパラメータの値を更新する。また、パラメータ設定部１００は、ロックモード設定・解除部１１０と、ロック入力モード設定・解除部１１１、コンフリクトロックモード設定・解除部１１２の各機能部を有し、これらが設定記憶部１１に記憶されている任意のパラメータの値をロックし、ジョブメモリによるパラメータの更新を阻止することができる。なお、ロックモード設定・解除部１１０、ロック入力モード設定・解除部１１１、コンフリクトロックモード設定・解除部１１２の各機能部による処理については後述する。
【００２９】
指示入力取得部１０１は、入力受付部１７が受け付けたユーザからの指示の内容を取得する。表示画面更新部１０２は、パラメータ設定部１００が設定したパラメータ等に基づいて、図示しない表示器に表示する画面を更新し、表示制御部１６に表示器への表示を実行させる。ジョブメモリ取得部１０３は、入力受付部１７が受け付けたユーザからの指示に基づいて、ジョブメモリ記憶部１２に記憶されているジョブメモリのパラメータの値を取得する。
【００３０】
次に、画像処理装置１の動作の概略について説明する。図３は、画像処理装置１の動作の流れを示すフローチャートである。
【００３１】
画像処理装置１は、ユーザからパラメータ設定の指示があると（ステップ２０１でＹＥＳ）、パラメータ設定部１００（制御部１０）が、受け付けた指示に基づいて設定記憶部１１が記憶するパラメータを変更する（ステップ２０２）。このとき、ユーザから任意のパラメータに対して、後述するロックモードの設定や解除の指示があれば、パラメータ設定部１００は、ロックモードの設定若しくは解除を行う。
【００３２】
また、画像処理装置１は、ユーザからジョブメモリの呼び出しの指示があると（ステップ２０３）、ジョブメモリ取得部１０３（制御部１０）が、ジョブメモリ記憶部１２に記憶されているジョブメモリからユーザが指定したジョブメモリの各パラメータの値を取得する（ステップ２０４）。そして、パラメータ設定部１００（制御部１０）は、設定記憶部１１に記憶されているパラメータのうち、ロックモードが設定されていないパラメータの値を、呼び出したジョブメモリの対応するパラメータの値で更新する（ステップ２０５）。
【００３３】
また、画像処理装置１は、ユーザからジョブの実行指示があると（ステップ２０６でＹＥＳ）、制御部１０が設定記憶部１１に記憶されているパラメータの値を参照し、当該パラメータでジョブの実行が可能であれば（ステップ２０７でＹＥＳ）、制御部１０が他の各部を制御して指示されたジョブを実行する（ステップ２０８）。
【００３４】
画像処理装置１は、パラメータの設定指示、ジョブメモリの呼び出し指示、ジョブの実行指示を、順不同で随時受け付けて実行し、ユーザからの指示が一定時間無かった場合やユーザから機能の終了指示があった場合には（ステップ２０９でＹＥＳ）、画像処理装置１は、図示しない表示器に初期画面を表示する等して、ここで説明した一連の処理を終了する。
【００３５】
ここで説明した処理の流れから明らかなように、画像処理装置１においては、ユーザが任意のパラメータをロックモードに指定した状態で、ジョブメモリを呼び出してジョブを実行し、さらに別のジョブメモリを呼び出してジョブを実行するといった操作が可能となる。
【００３６】
次に、ロックモードの設定方法を、画像処理装置１の図示しない表示器に表示する画面の例を参照して説明する。
【００３７】
画像処理装置１は、まず、初期画面として、図４に示すような画面３００を表示する。画面３００は、メニュー画面であり、「スキャン」ボタン３０１、「コピー」ボタン３０２、「スキャンジョブメモリ」ボタン３０３、「コピージョブメモリ」ボタン３０４等が配されている。「スキャン」ボタン３０１と「コピー」ボタン３０２は、それぞれ、スキャンジョブのパラメータを設定する画面、コピージョブのパラメータを設定する画面への切り替えを指示するボタンであり、「スキャンジョブメモリ」ボタン３０３と「コピージョブメモリ」ボタン３０４は、それぞれ、スキャンジョブメモリを呼び出す画面、コピージョブメモリを呼び出す画面への切り替えを指示するボタンである。
【００３８】
ここで、ユーザが「スキャン」ボタン３０１を押下したとすると、画像処理装置１の表示器には、図５に示す画面３１０が表示される。画面３１０は、スキャンジョブのパラメータを設定する画面であり、「メインメニュー」ボタン３１１、「ジョブメモリ」ボタン３１２、「ロック全解除」ボタン３１３、パラメータ設定タブ３１４（３１４−Ａ〜３１４−Ｃ）、パラメータ設定ボタン３１５（３１５−Ａ１、３１５−Ａ３、３１５−Ａ６、３１５−Ａ９等）、「ロック設定」ボタン３１６、「ロック解除」ボタン３１７等が配されている。
【００３９】
「メインメニュー」ボタン３１１は、図４に示した画面３００への切り替えを指示するボタンであり、「メインメニュー」ボタン３１１が押下された際には、パラメータに対して任意に設定されたロックモードの全てが解除されて、画面３００が表示される。「ジョブメモリ」ボタン３１２は、スキャンジョブメモリを呼び出す画面への切り替えを指示するボタンである。「ロック全解除」ボタン３１３は、パラメータに対して任意に設定されたロックモードの全ての解除を指示するボタンである。
【００４０】
パラメータ設定タブ３１４は、設定するパラメータの種別を選択するタブであり、パラメータ設定ボタン３１５は、パラメータの設定若しくは下位にのパラメータ画面を選択するための画面である。スキャンジョブ等で設定できるパラメータは、図６に示すように階層構造をなっており、種別「ＡＡＡ」４０１、種別「ＢＢＢ」４０２等をパラメータ設定タブ３１４で選択することができる。また、パラメータ「Ａ３」４１３を設定する場合には、ユーザは、パラメータ設定ボタン３１５−Ａ３を押下して、パラメータ「Ａ３」４１３の設定画面（不図示）を表示させる。また、パラメータ「Ａ１１」４２１やパラメータ「Ａ１２」４２２等の設定を行う場合には、ユーザは、パラメータ設定ボタン３１５−Ａ１を押下して、図７に示すような画面３２０を表示させる。画面３２０には、パラメータ「Ａ１１」４２１の設定画面（不図示）を表示させる設定ボタン３２１−Ａ１１や、パラメータ「Ａ１２」４２２の設定画面（不図示）を表示させる設定ボタン３２１−Ａ１２等が配されている。
【００４１】
「ロック設定」ボタン３１６は、パラメータをロックモードに設定する指示を行うボタンであり、ユーザが「ロック設定」ボタン３１６の押下に続けて、パラメータ設定タブ３１４やパラメータ設定ボタン３１５を押下することで、該当するパラメータがロックモードに設定される。また、図７に示した画面３２０に配されている「ロック設定」ボタン３２２も同様のボタンであり、ユーザが「ロック設定」ボタン３２２の押下に続けて、パラメータ設定ボタン３２１−Ａ１１等を押下することで、該当するパラメータがロックモードに設定される。
【００４２】
また、ロックモードの設定は、図６に示した階層の下位を含む形で行われる。例えば、パラメータ「Ａ３」４１３をロックモードに設定した場合には、パラメータ「Ａ３」４１３のみがロックモードに設定されるが、パラメータ「Ａ１」４１１をロックモードに設定した場合には、その下位に位置するパラメータ「Ａ１１」４２１やパラメータ「Ａ１２」４２２等も併せてロックモードに設定される。同様に、種別「ＡＡＡ」４０１をロックモードに設定した場合には、その下位に位置するパラメータ「Ａ３」４１２やパラメータ「Ａ１１」４２１、パラメータ「Ａ１２」４２２等も併せてロックモードに設定される。
【００４３】
「ロック解除」ボタン３１７は、パラメータをロックモードから解除する指示を行うボタンであり、ユーザが「ロック解除」ボタン３１７の押下に続けて、パラメータ設定タブ３１４やパラメータ設定ボタン３１５を押下することで、該当するパラメータがロックモードから解除される。
【００４４】
このパラメータに対するロックモードの設定や解除は、図２に示したパラメータ設定部１００のロックモード設定・解除部１１０により行われるもので、この処理に伴って、表示画面更新部１０２が、図示しない表示器に表示する画面を変更する。例えば、パラメータ「Ａ１」４１１をロックモードに設定した場合には、図８に示す画面３３０のように、パラメータ設定ボタン３３１−Ａ１を反転表示とし、種別「ＡＡＡ」４０１をロックモードに設定した場合には、図９に示す画面３４０のように、パラメータ設定タブ３４１−Ａを反転表示とする。なお、図８および図９においては、反転表示により、ロックモードが設定されていることを示しているが、反転表示でなくとも、文字色を変更する等、他の方法でロックモードが設定されていることを示すようにしてもよい。
【００４５】
次に、画面３１０の「ジョブメモリ」ボタン３１２（図５参照）が押下された場合を説明する。この場合には、図示しない表示器には、図１０に示す画面３５０が表示される。
【００４６】
画面３５０には、ジョブメモリを選択するジョブメモリ選択ボタン３５１（３５１−Ｃ、３５１−Ｆ等）が配されるとともに、「ロック状態で呼出」ボタン３５２と「ロック解除で呼出」ボタン３５３が配されている。この画面３５０では、ユーザが「ロック状態で呼出」ボタン３５２を押下した後で、ジョブメモリ選択ボタン３５１を押下して所望のジョブメモリを選択すると、図２に示したジョブメモリ取得部１０３がジョブメモリを取得し、パラメータ設定部１００がパラメータの設定を行うが、このとき、ロックモードに設定されているパラメータについては、現在の値のままとなり、ロックモードに設定されていないパラメータについては、ジョブメモリの値に更新される。
【００４７】
また、ユーザが「ロック解除で呼出」ボタン３５３を押下した後で、ジョブメモリ選択ボタン３５１を押下して所望のジョブメモリを選択すると、図２に示したジョブメモリ取得部１０３がジョブメモリを取得し、パラメータ設定部１００がパラメータの設定を行うが、このとき、設定されているロックモードは全て解除されるため、全てのパラメータがジョブメモリの値に更新される。
【００４８】
さて、ユーザが任意のパラメータをロックモードに設定することができることは前述したが、前述の説明では、ユーザがパラメータを選択してロックモードへの設定を行うこととしていた。しかしながら、ロックモードの設定は、パラメータの値の設定と併せて行うこともできる。この処理は、図１１に示した画面３６０に配されている「ロック入力」ボタン３６１を押下し、画像処理装置１をロック入力モードにすることで行う。画像処理装置１は、図２に示したロック入力モード設定・解除部１１１が、ロック入力モードの設定と解除を行う。
【００４９】
ロック入力モードでは、パラメータの値を設定する毎に、当該パラメータがロックモードに設定される。これにより、ユーザは、パラメータの値の設定と併せてロックモードの設定を行うことができる。
【００５０】
また、ロック入力モードの解除は、「ロック入力解除」ボタン３６２の押下により行われるが、この他にも、「メインメニュー」ボタン３６３の押下による画面３００への切り換え時、「リセット」ボタン３６４の押下によるパラメータの設定のリセット時にロック入力モードが解除される。なお、「ロック入力解除」ボタン３６２を配する代わりに、「ロック入力」ボタン３６１の再押下によりロック入力モードを解除するようにしてもよい。また、ロック入力モードの解除時に、同時にロック解除の処理を行っても良い。
【００５１】
ところで、ロックモードは、前述したように、任意のパラメータに対して設定することができる。このため、ロックモードに設定したパラメータと、ロックモードに設定していないパラメータの間で矛盾が生じる可能性がある。例えば、スキャンした画像を白黒２値専用のフォーマットで保存するよう設定したパラメータをロックモードにした場合に、エッジ処理等の画質調整パラメータが多値階調処理を指定する値に設定されたジョブメモリを呼び出すと、両者が矛盾することとなる。
【００５２】
このため、画像処理装置１では、コンフリクトロックモードを設け、図２に示すコンフリクトロックモード設定・解除部１１２がコンフリクトロックモードの設定と解除を行う。
【００５３】
コンフリクトロックモードは、任意のパラメータをロックモードに設定することにより、矛盾が生じる可能性のあるパラメータをロックモードと同様に設定するもので、コンフリクトロックモード設定・解除部１１２が、ロックモード設定・解除部１１０の処理に応じて、該当するパラメータをロックモードと同様に設定若しくは解除する。
【００５４】
このとき、図２に示した表示画面更新部１０２は、図１２に示す画面３７０に、メッセージ３７１を表示して、ユーザにコンフリクトロックモードでの処理があった旨を通知する。また、図１３に示す画面３８０のように、コンフリクトロックモードにあるパラメータ名を表示する領域３８１を画面上に設け、現在どのパラメータがコンフリクトロックモードにあるかをユーザに通知してもよい。さらに、メッセージ３７１に代えて、図１４に示す画面３９０のように、ポップアップ３９１によりユーザにコンフリクトロックモードでの処理があった旨を通知するようにしてもよい。
【００５５】
なお、ここでは、コンフリクトロックモードでの処理で、対象となるパラメータをロックモードと同様にすると説明した。しかし例えば、パラメータ［圧縮形式］が、その値が［ＪＰＥＧ］に設定された状態でロックモードに設定され、［圧縮形式］が［ＪＰＥＧ］の場合には［カラー］［グレイ］のみが設定可能となる［色空間］が、［圧縮形式］をロックモードにすることによりコンフリクトロックモードとなった場合、［色空間］が［カラー］［グレイ］に設定されているジョブメモリを呼び出した際には、［色空間］の設定が更新される、という処理を行うこともできる。また、同様の場合に［色空間］が［白黒２値］に設定されているジョブメモリを呼び出した際に、［色空間］の値域で［白黒２値］に最も意味が近い［グレイ］に設定が更新される、という処理を行うこともできる。
【００５６】
最後に、ユーザによる画像処理装置１の利用例を説明する。なお、ここでは、前提として、ユーザが大量の原稿をスキャン入力する場合で、スキャン入力の機能設定は原稿毎に異なり、それらが事前にジョブメモリに登録されていが、一部のパラメータがそのスキャン入力処理を行なう場合によって異なるものとする。また、ジョブメモリには、すべてのパラメータの値が設定されており、ユーザは、入力する原稿とジョブメモリの対応を記した指示書にしたがってスキャン入力を行うものとする。
【００５７】
ユーザは、画面３００より「スキャンジョブメモリ」３０３を押下し、指示書にて指示された、最初の原稿に対応するジョブメモリを選択する。スキャン画像の保存先は、ユーザに応じて変更するため、ジョブメモリを選択後、画面３１０を表示したところで、保存先を自部門のファイル保存先サーバに変更する。このとき、ユーザは、ロック入力ボタン（符号３６１に相当）を押下するため、保存先パラメータはロックモードになる。したがって、その後、ジョブメモリの呼び出しを行っても、保存先パラメータは変更されない。そして、ユーザは、ジョブメモリを順次呼び出して切り替えながら、スキャン原稿を入力する。この際、ジョブメモリ呼び出しによって、保存先パラメータは変更されない。その後、作業が終了して、ユーザが画面３００のメインメニューを表示させると、保存先パラメータのロックモードは解除される。
【図面の簡単な説明】
【００５８】
【図１】本発明を適用した画像処理装置の構成の概略を示すブロック図である。
【図２】パラメータの設定を行う際の制御部１０の機能的な構成を示すブロック図である。
【図３】画像処理装置１の動作の流れを示すフローチャートである。
【図４】画像処理装置１が表示する初期画面の例を示した図である。
【図５】画像処理装置１が表示するパラメータ設定画面の例を示した図である。
【図６】パラメータの構成を説明するための図である。
【図７】画像処理装置１が表示するパラメータ設定画面の例を示した図である。
【図８】画像処理装置１が表示するパラメータ設定画面の例を示した図である。
【図９】画像処理装置１が表示するパラメータ設定画面の例を示した図である。
【図１０】画像処理装置１が表示するジョブメモリ呼出画面の例を示した図である。
【図１１】画像処理装置１が表示するパラメータ設定画面の例を示した図である。
【図１２】コンフリクトロックモードでの処理があった場合に画像処理装置１が表示する画面の例を示した図である。
【図１３】コンフリクトロックモードでの処理があった場合に画像処理装置１が表示する画面の例を示した図である。
【図１４】コンフリクトロックモードでの処理があった場合に画像処理装置１が表示する画面の例を示した図である。
【符号の説明】
【００５９】
１    画像処理装置
１０    制御部
１１    設定記憶部
１２    ジョブメモリ記憶部
１３    画像入力部
１４    画像出力部
１５    ファイル記憶部
１６    表示制御部
１７    入力受付部
１８    ネットワーク接続制御部
１９    通信制御部
１００    パラメータ設定部
１０１    指示入力取得部
１０２    表示画面更新部
１０３    ジョブメモリ取得部
１１０    ロックモード設定・解除部
１１１    ロック入力モード設定・解除部
１１２    コンフリクトロックモード設定・解除部
３００    画面
３０１    「スキャン」ボタン
３０２    「コピー」ボタン
３０３    「スキャンジョブメモリ」ボタン
３０４    「コピージョブメモリ」ボタン
３１０    画面
３１１    「メインメニュー」ボタン
３１２    「ジョブメモリ」ボタン
３１３    「ロック全解除」ボタン
３１４−Ａ〜３１４−Ｃ    パラメータ設定タブ
３１５−Ａ１、３１５−Ａ３、３１５−Ａ６、３１５−Ａ９    パラメータ設定ボタン
３１６    「ロック設定」ボタン
３１７    「ロック解除」ボタン
４０１    種別「ＡＡＡ」
４０２    種別「ＢＢＢ」
４１１    パラメータ「Ａ１」
４１３    パラメータ「Ａ３」
４２１    パラメータ「Ａ１１」
４２２    パラメータ「Ａ１２」
３２０    画面
３２１−Ａ１１    設定ボタン
３２１−Ａ１２    設定ボタン
３２２    「ロック設定」ボタン
３３０    画面
３３１−Ａ１    パラメータ設定ボタン
３４０    画面
３４１−Ａ    パラメータ設定タブ
３５０    画面
３５１−Ｃ、３５１−Ｆ    ジョブメモリ選択ボタン
３５２    「ロック状態で呼出」ボタン
３５３    「ロック解除で呼出」ボタン
３６０    画面
３６１    「ロック入力」ボタン
３６２    「ロック入力解除」ボタン
３６３    「メインメニュー」ボタン
３６４    「リセット」ボタン
３７０    画面
３７１    メッセージ
３８０    画面
３８１    領域
３９０    画面
３９１    ポップアップ
【図１】
2006067210.tif 000003
【図２】
2006067210.tif 000004
【図３】
2006067210.tif 000005
【図４】
2006067210.tif 000006
【図５】
2006067210.tif 000007
【図６】
2006067210.tif 000008
【図７】
2006067210.tif 000009
【図８】
2006067210.tif 000010
【図９】
2006067210.tif 000011
【図１０】
2006067210.tif 000012
【図１１】
2006067210.tif 000013
【図１２】
2006067210.tif 000014
【図１３】
2006067210.tif 000015
【図１４】
2006067210.tif 000016